【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
光源手段と、回転多面鏡と、前記光源手段から出射された光束を前記回転多面鏡に導光する入射光学手段と、前記回転多面鏡によって反射偏向された光束を被走査面上に結像させるｆθ特性を備えた走査光学手段と、を有する光走査装置において、
前記入射光学手段は、主走査断面内において、前記光源手段から出射された光束を前記回転多面鏡の偏向面に前記走査光学手段の光軸に対して斜め方向から入射させており、
前記走査光学手段は、第１のレンズ、第２のレンズからなり、前記第１のレンズは、前記回転多面鏡側に配置され、前記第２のレンズは、前記被走査面側に配置されており、
前記第２のレンズは、主走査断面内において、少なくとも１つのレンズ面が前記第２のレンズの光軸を挟んで主走査方向に非対称に形状が変化する母線非対称面であり、
前記母線非対称面は、レンズ有効部の両端部において前記第２のレンズの光軸に対して前記光源手段側の端部のレンズ面位置が反光源手段側の端部の面位置より前記被走査面側に位置する母線非対称傾斜面であることを特徴とする光走査装置。
【請求項２】
光源手段と、回転多面鏡と、前記光源手段から出射された光束を前記回転多面鏡に導光する入射光学手段と、前記回転多面鏡によって反射偏向された光束を被走査面上に結像させるｆθ特性を備えた走査光学手段と、を有する光走査装置において、
前記入射光学手段は、主走査断面内において、前記光源手段から出射された光束を前記回転多面鏡の偏向面に前記走査光学手段の光軸に対して斜め方向から入射させており、
前記走査光学手段は、第１のレンズ、第２のレンズからなり、前記第１のレンズは、前記回転多面鏡側に配置され、前記第２のレンズは、前記被走査面側に配置されており、
前記第２のレンズは、主走査断面内において、少なくとも１つのレンズ面が前記第２のレンズの光軸を挟んで主走査方向に非対称に形状が変化する母線非対称面であり、
前記母線非対称面は、レンズ有効部の両端部において前記第２のレンズの光軸に対して前記光源手段側の端部の曲率が反光源手段側の端部の曲率より大きい母線非対称曲率面であり、
主走査断面内における前記第１のレンズ、前記第２のレンズのパワーを各々φ
１、φ２としたとき、
φ２≦φ１／５
なる条件を満足することを特徴とする光走査装置。
【請求項３】
主走査断面内において、前記第２のレンズの主平面は、前記走査光学手段の光軸方向において前記第１のレンズよりも前記偏向手段側に位置していることを特徴とする請求項１又は２に記載の光走査装置。
【請求項４】
前記走査光学手段の光軸方向において、前記回転多面鏡の偏向面から前記第２のレンズの出射面までの距離をｄ、前記被走査面上の有効走査幅をＷとしたとき、
ｄ／Ｗ≦０．２
なる条件を満足することを特徴とする請求項１乃至３の何れか一項に記載の光走査装置。 
【請求項５】
前記第１のレンズ及び前記第２のレンズのレンズ有効部の長さは、共に前記レンズの光軸に対して前記光源手段側のレンズ有効部が反光源手段側のレンズ有効部よりも長いことを特徴とする請求項１乃至４の何れか一項に記載の光走査装置。
【請求項６】
前記走査光学手段のｆθ係数をｋ、前記被走査面上の有効走査幅をＷとしたとき、
ｋ／Ｗ≦０．６
なる条件を満足することを特徴とする請求項１乃至５の何れか一項に記載の光走査装置。 
【請求項７】
前記光源手段は複数の発光部を有することを特徴とする請求項１乃至６の何れか一項に記載の光走査装置。
【請求項８】
前記母線非対称傾斜面は、レンズ有効部の両端部において前記第２のレンズの光軸に対して前記光源手段側の端部の曲率が反光源手段側の端部の曲率より大きい母線非対称曲率面であることを特徴とする請求項１、３乃至７の何れか一項に記載の光走査装置。
【請求項９】
請求項１乃至８の何れか一項に記載の光走査装置と、前記光走査装置の被走査面に配置された感光体と、前記感光体上を光束が走査することによって形成された静電潜像をトナー像として現像する現像手段と、前記現像されたトナー像を用紙に転写する転写手段と、転写されたトナー像を用紙に定着させる定着手段とを備えたことを特徴とする画像形成装置。
【手続補正２】
【補正対象書類名】明細書
【補正対象項目名】００１９
【補正方法】変更
【補正の内容】
【００１９】
請求項１の発明の光走査装置は、光源手段と、回転多面鏡と、前記光源手段から出射された光束を前記回転多面鏡に導光する入射光学手段と、前記回転多面鏡によって反射偏向された光束を被走査面上に結像させるｆθ特性を備えた走査光学手段と、を有する光走査装置において、
前記入射光学手段は、主走査断面内において、前記光源手段から出射された光束を前記回転多面鏡の偏向面に前記走査光学手段の光軸に対して斜め方向から入射させており、
前記走査光学手段は、第１のレンズ、第２のレンズからなり、前記第１のレンズは、前記回転多面鏡側に配置され、前記第２のレンズは、前記被走査面側に配置されており、
前記第２のレンズは、主走査断面内において、少なくとも１つのレンズ面が前記第２のレンズの光軸を挟んで主走査方向に非対称に形状が変化する母線非対称面であり、
前記母線非対称面は、レンズ有効部の両端部において前記第２のレンズの光軸に対して前記光源手段側の端部のレンズ面位置が反光源手段側の端部の面位置より前記被走査面側に位置する母線非対称傾斜面であることを特徴としている。
【手続補正３】
【補正対象書類名】明細書
【補正対象項目名】００２０
【補正方法】変更
【補正の内容】
【００２０】
請求項２の発明の光走査装置は、光源手段と、回転多面鏡と、前記光源手段から出射された光束を前記回転多面鏡に導光する入射光学手段と、前記回転多面鏡によって反射偏向された光束を被走査面上に結像させるｆθ特性を備えた走査光学手段と、を有する光走査装置において、
前記入射光学手段は、主走査断面内において、前記光源手段から出射された光束を前記回転多面鏡の偏向面に前記走査光学手段の光軸に対して斜め方向から入射させており、
前記走査光学手段は、第１のレンズ、第２のレンズからなり、前記第１のレンズは、前記回転多面鏡側に配置され、前記第２のレンズは、前記被走査面側に配置されており、
前記第２のレンズは、主走査断面内において、少なくとも１つのレンズ面が前記第２のレンズの光軸を挟んで主走査方向に非対称に形状が変化する母線非対称面であり、
前記母線非対称面は、レンズ有効部の両端部において前記第２のレンズの光軸に対して前記光源手段側の端部の曲率が反光源手段側の端部の曲率より大きい母線非対称曲率面であり、
主走査断面内における前記第１のレンズ、前記第２のレンズのパワーを各々φ
１、φ２としたとき、
φ２≦φ１／５
なる条件を満足することを特徴としている。
【手続補正４】
【補正対象書類名】明細書
【補正対象項目名】００２１
【補正方法】変更
【補正の内容】
【００２１】
請求項３の発明は請求項１又は２の発明において、主走査断面内において、前記第２のレンズの主平面は、前記走査光学手段の光軸方向において前記第１のレンズよりも前記偏向手段側に位置していることを特徴としている。
【手続補正５】
【補正対象書類名】明細書
【補正対象項目名】００２２
【補正方法】変更
【補正の内容】
【００２２】
請求項４の発明は請求項１乃至３のいずれか１項の発明において、前記走査光学手段の光軸方向において、前記回転多面鏡の偏向面から前記第２のレンズの出射面までの距離をｄ、前記被走査面上の有効走査幅をＷとしたとき、
ｄ／Ｗ≦０．２
なる条件を満足することを特徴としている。
【手続補正６】
【補正対象書類名】明細書
【補正対象項目名】００２３
【補正方法】変更
【補正の内容】
【００２３】
請求項５の発明は請求項１乃至４のいずれか１項の発明において、前記第１のレンズ及び前記第２のレンズのレンズ有効部の長さは、共に前記レンズの光軸に対して前記光源手段側のレンズ有効部が反光源手段側のレンズ有効部よりも長いことを特徴としている。
【手続補正７】
【補正対象書類名】明細書
【補正対象項目名】００２４
【補正方法】変更
【補正の内容】
【００２４】
請求項６の発明は請求項１乃至５のいずれか１項の発明において、前記走査光学手段のｆθ係数をｋ、前記被走査面上の有効走査幅をＷとしたとき、
ｋ／Ｗ≦０．６
なる条件を満足することを特徴としている。
【手続補正８】
【補正対象書類名】明細書
【補正対象項目名】００２５
【補正方法】変更
【補正の内容】
【００２５】
請求項７の発明は請求項１乃至６のいずれか１項の発明において、前記光源手段は複数の発光部を有することを特徴としている。
【手続補正９】
【補正対象書類名】明細書
【補正対象項目名】００２６
【補正方法】変更
【補正の内容】
【００２６】
請求項８の発明は請求項１乃至７のいずれか１項の発明において、前記母線非対称傾斜面は、レンズ有効部の両端部において前記第２のレンズの光軸に対して前記光源手段側の端部の曲率が反光源手段側の端部の曲率より大きい母線非対称曲率面であることを特徴としている。
【手続補正１０】
【補正対象書類名】明細書
【補正対象項目名】００２７
【補正方法】変更
【補正の内容】
【００２７】
請求項９の発明の画像形成装置は請求項１乃至８の何れか一項に記載の光走査装置と、前記光走査装置の被走査面に配置された感光体と、前記感光体上を光束が走査することによって形成された静電潜像をトナー像として現像する現像手段と、前記現像されたトナー像を用紙に転写する転写手段と、転写されたトナー像を用紙に定着させる定着手段とを備えたことを特徴としている。
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】